(57)【要約】      （修正有）【課題】ハンガーに掛けた洗濯物を一時的に吊るしてから物干し場に運ぶことにより、物干し場での作業を軽減できる集合住宅における天井部構造を提供する。【解決手段】マンションなどの集合住宅における各住戸内において、下り天井１８が設けられた洗面化粧室内の天井面に開口を有する凹状部材１９を設け、凹状部材の内側に断面鉤形をしたレール状部材２１を固定して開口の縁部１９ａが鉤形となるハンガー係止部２１ａを構成する。ハンガー係止部は洗面化粧室内における洗濯スペース１０ｃの直上に設けられる。【選択図】図２
0003210857.tif 000002
【実用新案登録請求の範囲】
【請求項１】
マンションなどの集合住宅における各住戸（１）内において、下り天井（１８）が設けられた洗面化粧室（１０）内の天井面に開口する凹状部材（１９）を天井面に設け、該凹状部材（１９）の内側に断面鉤形をしたレール状部材（２１）を固定して開口の縁部（１９ａ）を鉤形をしたハンガー係止部（２１ａ）としたことを特徴とする集合住宅における天井部構造。
【請求項２】
前記ハンガー係止部（２１ａ）は前記洗面化粧室（１０）内における洗濯スペース（１０ｃ）の直上に設けられていることを特徴とする請求項１に記載の集合住宅における天井部構造。
【考案の詳細な説明】
【技術分野】
【０００１】
本考案は、マンションなどの集合住宅内の化粧室内等の天井部にハンガーなどを一時的に吊下げ可能とした天井部構造に関するものである。
【背景技術】
【０００２】
マンションなどの集合住宅における個人住戸の各居室内は、通常の天井高である約２４００ｍｍであるのに対し、洗面所、バス、洗濯スペース、キッチンなどの水回りでは、スラブ下に排気ダクト等を配置し、また給排水管などが配管されるための空間を要することから、内装天井を低い位置に配置する必要があり、通常の居室より天井高が低く、約２１００ｍｍとなっている。なお、トイレ、バス、キッチン及び化粧洗面台のそれぞれをボックス形にユニット化し、各ユニットには設備配管に接続するための接続管を天井側に設けたものもある（特許文献１）。
【先行技術文献】
【特許文献】
【０００３】
【特許文献１】特開平５−１８７０４６号公報
【考案の概要】
【考案が解決しようとする課題】
【０００４】
しかしながら上記特許文献１は、配管接続作業の簡素化を図るためのものであって、このようなユニットを設けたとしても、スラブ下にユニットと設備配管とを格納のために空間を確保しなければならず、しかも排気ダクトも設けているため、前述する水回りの天井高は通常より低いことには変わりない。
【０００５】
ところで、洗濯スペースで洗濯を行った後はバルコニーなどに設けた物干し場に洗濯物を運んで干す必要がある。特に上着やシャツなどは洗濯後ハンガーに掛けたり、靴下などの小物類はハンガーラックに設けた洗濯ばさみにピンチした状態で、ハンガーそのものを物干し場に持って行けば作業が効率化する。しかし、集合住宅では洗濯スペースにハンガーそのものを吊るす専用の場所は設けられておらず、適当な場所を選んでハンガーを吊しておくが、十分な数を吊せる場所はなく、扉枠などの建具などに引っ掛けた場合には、落ちたり、建具を傷つける恐れもあった。
【０００６】
また不便を忍んで洗い立ての衣類をカゴなどに入れたまま外のバルコニーに運び、その位置でハンガーに掛けて干す場合には、時間を要するため、夏は日焼けが生じたり、春であると花粉が付着するなどの虞があり、余り長居をしたくないなどの要望もある。逆に特に雨の日には室外である物干し場には干せないため、不便を忍んで適当箇所に吊しておくのが現状であった。
【０００７】
そこで本考案は、洗面化粧室の天井高の低いことを逆に利用して、この天井面にハンガーの一時吊下げ箇所を設けることによって、ここに洗濯物をハンガーなどに掛けて確実な状態で一時的に吊るしてから物干し場に運ぶことにより、物干し場での作業時間を短縮できるほか、雨の日はこの場所に吊るしたままとすることにより、雨天での物干しも簡単に行えるようにした集合住宅の天井構造を提供するものである。
【課題を解決するための手段】
【０００８】
前記目的を達成するため本考案は、図の実施の形態にも示すごとく、マンションなどの集合住宅における各住戸（１）内において、下り天井（１８）が設けられた洗面化粧室（１０）内の天井面に開口する凹状部材（１９）を天井面に設け、該凹状部材の内側に断面鉤形をしたレール状部材（２１）を固定して前記開口の縁部（１９ａ）を鉤形をしたハンガー係止部（２１ａ）としたことを特徴とするものである。
【０００９】
また本考案の前記ハンガー係止部（２１ａ）は前記洗面化粧室（１０）内における洗濯スペース（１０ｃ）の直上に設けられていることが望ましい。
【考案の効果】
【００１０】
従って本考案によれば、洗濯物を掛けたハンガーの一時吊り下げ場所を十分に確保できる。また、ハンガーに洗濯物を掛けた状態でバルコニーへ移動できることからバルコニーでの滞在時間を短縮でき、日焼けや花粉などにさらされることを減らすことができる。さらに、雨天時などバルコニーで干せない際にも、このハンガー係止部に掛けて吊り下げておくことができる。
【００１１】
請求項２の考案によれば、洗濯物を洗濯機から出してハンガーに掛ければ直ぐに一時的に吊り下げできるため、洗濯カゴを介在させずに洗濯物をハンガーに掛けられ、吊り下げ作業時の移動、洗濯物をカゴに入れた状態でバルコニーへ移動する作業も不要である。また、洗濯物を洗濯機から出した直後にハンガーに掛けることができ、そのハンガーを一時的に吊り下げ、ハンガーに掛かった状態の複数の洗濯物をまとめてバルコニーへ移動できることからバルコニーでの滞在時間を短縮でき、日焼け等の虞を減らすことが可能となる。
【図面の簡単な説明】
【００１２】
【図１】本考案が適用されるマンションの一つの住居内の間取りを示す平面図である。
【図２】洗面化粧室内における洗濯スペース内の一部拡大部分を含む側面図である。
【図３】レール状部材を一部裁断した図２のＡ矢視図である。
【考案を実施するための形態】
【００１３】
以下、本考案の好ましい実施の形態を添付図面を参照して説明する。
例えば図１において、集合住宅であるマンション内の適宜の住戸内１には玄関２とそれに続く廊下３とこれに面して縦配列された３つの居室４，５，６、及びこのうちの２つの居室５，６に隣接して最大の部屋としてリビング・ダイニングキッチン（以下ＬＤＫと称する）７が配置され、このうち居室６及びＬＤＫ７は外側のバルコニーＢに面している。またＬＤＫ７の奥側にはバス８、トイレ９、並びに洗面化粧室１０及び廊下３に面して物入れ１２，１３が適宜な区画により配置されている。
【００１４】
これらのうち、玄関２，廊下３及び各居室４，５，６，７の天井高は図２も示すように、床面から約２４００ｍｍで構成されるのに対し、バス８、トイレ９、洗面化粧室１０、及びＬＤＫ７に配置されたシンク１４のレンジ部分１４ａの直上（破線で示す）はそのスラブ下に換気扇と外部に接続される排気ダクト（換気ダクト）を配管したり、パイプスペースＰＳに通される給配水管を分岐配管するために天井高が一段と低く、下り天井となって床面から約２１００ｍｍの天井高となっている。
【００１５】
また化粧室１０における洗面化粧台１０ａに隣接して前記パイプスペースＰＳと区画されるリネン室１０ｂが設けられ、このリネン室１０ｂに対面して前記物入れ１３の背面に洗濯スペース１０ｃが形成され、この洗濯スペース１０ｃ内には洗濯機トレー１５上に設置された洗濯機１６を備え、例えばリネン室１０ｂに収納された洗濯物を取り出せば、直ちに洗濯機１６に入れて洗えるようその導線が短く設定されている。
【００１６】
図２において、洗濯スペース１０ｃの壁面上部には吊り戸棚１７が設けられているとともに、洗濯スペース１０ｃの中央部直上にあって、前述する下り天井１８の天井面には、開口部１８ａが洗濯スペース１０ｃの間口方向に沿ってスリット状に切り欠き形成され、この開口部１８ａには図の一部にも拡大して示すように、紙面と直交する長さ方向に沿って床面方向に開口して浅溝形状となる凹状部材１９が固定され、両側に添接された補強材２０によりこの凹状部材１９を支持補強している。
この凹状部材１９は、開口幅長（溝幅）として約１５０ｍｍ、凹状の深さ（縦方向の長さ）を５０ｍｍ程度とし、厚さ１２ｍｍの合板で構成され、天井１８よりも上方の空間内に既設の各配管に対して干渉のない構成とされて、天井面からは突出せず構成されている。
【００１７】
そして、凹状部材１９の内面側には断面鉤形形状をなしたレール状部材２１が長手方向に沿って固定されている。このレール状部材２１は例えばアルミなどの金属異形押出成形体であって、凹状部材１９の一方の開口縁部１９ａに沿ってその鉤形を上向きに位置させ、これをハンガー係止部２１ａとしている。このレール状部材２１は、一方の開口縁部１９ａ側に天井面に沿う約１０ｍｍの水平部分を備えるとともに、上向きの鉤型部分が３ｍｍ程度とされて、天井面から突出せず、ハンガー２２のフック部２２ａが掛かり、容易に落ちない形状とされている。
【００１８】
この洗濯スペース１０ｃの天井高は他の通常の天井高と比べて約３００ｍｍは低いため、作業者Ａが成人であれば手を上に伸ばして容易に届く高さであり、洗濯機１６から取り出した洗濯済みのシャツ（図中破線で示す）などの洗濯物をハンガー２２に掛け、このハンガー２２のフック部２２ａを係止部２１ａに引っ掛けて一時的に吊るすことができる。
【００１９】
ここで、図３に示すように、開口部１８ａの長さＬは洗濯スペース１０ｃの間口幅に対応する長さとされ、例えば５００〜６００ｍｍに設定されており、十分な数のハンガー２２に掛けた洗濯物を吊り下げることができる。またハンガーラック（図略）を吊り下げる場合においても吊り下げ可能であり、一回の洗濯でのハンガーの必要個数、すなわち洗濯物の量を十分に満たすことができる。
【００２０】
以上により、洗濯機１６から洗濯物を取り出し、ハンガー２２に掛けた後は直ちにこのハンガー２２を一時的に吊り下げできる。その後は複数のハンガー２２ごと洗濯物をバルコニーＢの物干し場に持って行けるので、物干し場でのハンガー掛けなどの作業が不要となり、作業が楽となるとともに時間短縮を図れる。また、雨天時などではこの場所を室内干しの物干し場とすることもできる。
【００２１】
なお、本実施の形態では洗濯スペース１０ｃの天井面にハンガーの吊り下げ箇所を設けたが、下り天井である洗面化粧室１０内であって、排気ダクトや給排水管などの配管に干渉しない場所であればそこに設けることができることも勿論である。また、上記本実施の形態では、レール状部材２１をアルミ押出成形体とした例であるが、その素材色を活かしてもよく、或いは天井面に合わせた着色や意匠性を施したりしてもよい。さらに、凹状部材１９及びレール状部材２１を洗濯スペース１０ｃの開口幅に対応する長さとされる例としたが、短尺に構成したものを複数で組み合わせてもよく、上記同様に排気ダクトや給排水管などに干渉しない場所であれば、いずれの箇所に設けてもよい。
【符号の説明】
【００２２】
１…住戸
２…玄関
３…廊下
４，５，６…居室
７…リビング・ダイニングキッチン（ＬＤＫ）
８…浴室
９…トイレ
１０…洗面化粧室
１０ａ…洗面化粧台
１０ｂ…リネン室
１０ｃ…洗濯スペース
１５…洗濯機トレイ
１６…洗濯機
１７…吊り戸棚
１８…下り天井
１８ａ…開口部
１９…凹状部材
１９ａ…縁部
２０…補強材
２１…レール状部材
２１ａ…ハンガー係止部
２２…ハンガー
Ａ…作業者
Ｂ…バルコニー
Ｌ…開口部長さ
【図１】
0003210857.tif 000003
【図２】
0003210857.tif 000004
【図３】
0003210857.tif 000005